(57)【要約】【課題】駆動装置における部品共用化を最大限に図ることができ、かつ誤組付けを防止する。【解決手段】左右の第１駆動装置１０ＲＡ、１０ＬＡを、ベース部材の上部の左右両側に取り付け、また、左右の第２駆動装置１０ＲＢ、１０ＬＢを、ベース部材の下部の左右両側に取り付ける。左右の第１駆動装置１０ＲＡ、１０ＬＡ同士、及び左右の第２駆動装置１０ＲＢ、１０ＬＢ同士をそれぞれ左右対称構造とし、また、左側に配置される第１、２駆動装置１０ＬＡ、１０ＬＢ同士、及び右側に配置される第１、２駆動装置１０ＲＡ、１０ＲＢ同士をそれぞれ上下対称構造とする。  【選択図】  図６
2008245849.tif 000002
【特許請求の範囲】
【請求項１】
遊技情報を表示可能な表示画面を前方へ向けて遊技機の前面に設けた表示装置と、前記表示装置の前方に配置され、前記表示画面を開閉可能な開閉装置とを備えた遊技機において、
前記開閉装置は、前記表示画面を挟んで左右方向へ移動することにより、前記表示画面を遮蔽及び開放可能な左右の前扉部材及び前記前扉部材の後方に重畳して配置される左右の後扉部材と、前記各扉部材の上、下部を、それぞれ左右方向へ移動可能に支持する上、下側ガイドを設けたベース部材と、左右の前記前扉部材をそれぞれ左右方向へ移動させるための左右の第１駆動装置と、左右の前記後扉部材をそれぞれ左右方向へ移動させるための左右の第２駆動装置とを備え、
左右の前記第１駆動装置を、前記ベース部材の上、下部のいずれか一方の左右両側に取り付け、また、左右の前記第２駆動装置を、前記ベース部材の上、下部のいずれか他方の左右両側に取り付けるとともに、左右の前記第１駆動装置同士、及び左右の第２駆動装置同士をそれぞれ左右対称構造とし、また、左右方向における同じ側に配置される第１、２駆動装置同士を上下対称構造としたことを特徴とする遊技機。
【請求項２】
前記各駆動装置は、前記ベース部材の裏面に固定されるブラケットと、前記ブラケットに取り付けられるモータと、前記ブラケットに回転自在に支持されるとともに前記モータの動力により回転し、その回転力を、前記各扉部材に設けたラックに噛合することにより、前記各扉部材に伝達可能なピニオンとをそれぞれ有することを特徴とする請求項１記載の遊技機。
【請求項３】
前記各駆動装置における各ピニオンは、前記ベース部材に設けた開口から前記ベース部材の表面側に露出して、前記各ラックに噛合することを特徴とする請求項２記載の遊技機。
【発明の詳細な説明】
【技術分野】
【０００１】
本発明は、遊技情報を表示可能な表示画面を前方へ向けて遊技機の前面に設けた表示装置と、表示装置の前方に配置され、表示画面を開閉可能な開閉装置とを備えた遊技機に関する。
【背景技術】
【０００２】
遊技機としてのスロットマシンにおいて、遊技機前面に設けられ、各種遊技情報を表示可能な表示装置の前面に、左右方向へ直線移動可能な複数の扉部材を設け、遊技状況に応じて、各扉部材を駆動装置により左右方向へ移動させることにより、表示装置の表示画面を遮蔽したり開放したりして、多彩な演出を行い得るようにしたものがある（例えば、特許文献１参照）。
【特許文献１】特開２００５−４０４１３号公報
【発明の開示】
【発明が解決しようとする課題】
【０００３】
上述のような遊技機においては、各扉部材をそれぞれ独立して開閉移動させるには、各扉部材毎に対応する複数の駆動装置が必要となる。この場合、駆動装置は、コスト低減の観点から、部品共用化が最大限に図られ、かつ誤組付けを防止し得る構成を有するものが最適である。
【０００４】
本発明は、上述のような課題に鑑みてなされたもので、駆動装置における部品共用化を最大限に図ることができ、かつ誤組付けを防止することができるようにした遊技機を提供することを目的とする。
【課題を解決するための手段】
【０００５】
本発明によると、上記課題は、次のようにして解決される。
（１）遊技情報を表示可能な表示画面を前方へ向けて遊技機の前面に設けた表示装置と、前記表示装置の前方に配置され、前記表示画面を開閉可能な開閉装置とを備えた遊技機において、前記開閉装置は、前記表示画面を挟んで左右方向へ移動することにより、前記表示画面を遮蔽及び開放可能な左右の前扉部材及び前記前扉部材の後方に重畳して配置される左右の後扉部材と、前記各扉部材の上、下部を、それぞれ左右方向へ移動可能に支持する上、下側ガイドを設けたベース部材と、左右の前記前扉部材をそれぞれ左右方向へ移動させるための左右の第１駆動装置と、左右の前記後扉部材をそれぞれ左右方向へ移動させるための左右の第２駆動装置とを備え、左右の前記第１駆動装置を、前記ベース部材の上、下部のいずれか一方の左右両側に取り付け、また、左右の前記第２駆動装置を、前記ベース部材の上、下部のいずれか他方の左右両側に取り付けるとともに、左右の前記第１駆動装置同士、及び左右の第２駆動装置同士をそれぞれ左右対称構造とし、また、左右方向における同じ側に配置される第１、２駆動装置同士を上下対称構造とする。
【０００６】
（２）上記(１)項において、前記各駆動装置は、前記ベース部材の裏面に固定されるブラケットと、前記ブラケットに取り付けられるモータと、前記ブラケットに回転自在に支持されるとともに前記モータの動力により回転し、その回転力を、前記各扉部材に設けたラックに噛合することにより、前記各扉部材に伝達可能なピニオンとをそれぞれ有する。
【０００７】
（３）上記(２)項において、前記各駆動装置における各ピニオンは、前記ベース部材に設けた開口から前記ベース部材の表面側に露出して、前記各ラックに噛合する。
【発明の効果】
【０００８】
本発明によれば、次のような効果が奏せられる。
請求項１記載の発明によると、左右の第１駆動装置同士、及び左右の第２駆動装置同士をそれぞれ左右対称構造とし、また、左右方向における同じ側に配置される第１、２駆動装置同士を上下対称構造としたことにより、各駆動装置の部品共用化を最大限に図ることができるとともに、駆動装置のベース部材に対する誤組付けを防止することができる。
【０００９】
請求項２記載の発明によると、駆動装置のブラケット以外の部品のモータ及びピニオンの共用化を可能にすることができ、コストの低減を図ることができる。
【００１０】
請求項３記載の発明によると、各駆動装置をベース部材の裏面に設けた場合であっても、ピニオンをラックに対して確実に噛合させることができる。
【発明を実施するための最良の形態】
【００１１】
図１は、本発明を適用した遊技機の斜視図、図２は、表示ユニットの正面図、図３は、表示ユニットの裏面図、図４は、表示枠を外した状態の表示ユニットの正面図である。なお、以下の説明においては、図１における左斜め下方、図２、４における図面手前及び図３における図面奥を「前方」とし、図１における右斜め上方、図２、４における図面奥及び図３における図面手前を「後方」とし、図１における左斜め上方、図２、４における左方及び図３における右方を「左方」とし、また、図１における右斜め下方、図２、４における右方及び図３における左方を「右方」とする。
【００１２】
遊技機（スロットマシン）１は、外周面に複数種類の図柄が描かれた左、中、右３個の回転リール２及びその他の各種遊技機器を収容した筐体３と、筐体３の前面に開閉可能に設けられた合成樹脂製の前扉４を備え、遊技媒体をなす円板状のメダル（コインも含む）を、前扉４の前面右側に設けたメダル投入部２０に投入することによって所定のゲームが行われるものである。
【００１３】
遊技機１の遊技は、遊技者がメダルをメダル投入部２０に投入するか、または、前扉３の前面に設けられたベットボタン２１により予め投入したメダル枚数を電気的に記憶されたクレジット状態のメダルの賭数を設定した後、スタートレバー２２を操作して、全ての回転リール２を回転させることによって開始される。
【００１４】
回転リール２が回転して所定時間が経過した後、前扉４の前面に設けられた３個のストップボタン２３を順次操作して、各回転リール２の回転を停止させ、停止した３個の回転リール２の図柄の組み合わせにより、入賞の有無、及び賞の大小に応じたメダルの配当枚数が確定され、入賞した場合には、予め定めた枚数のメダルが前扉４の下部に設けたメダル受皿４１に払い出される。
【００１５】
前扉４における前面のほぼ中央には、各回転リール２の図柄を３こまずつ視認可能な透視窓４２が設けられ、また同じく上部には、表示ユニット５が設けられている。
【００１６】
図５は、斜め前方から見た表示ユニット５の分解斜視図、図６は、斜め後方から見た表示ユニット５の分解斜視図、図７は、開閉装置の斜視図、図８は、図２におけるVIII−VIII線縦断面図、図９は、要部の拡大縦断面図である。
【００１７】
表示ユニット５は、遊技状況に応じて、光源が点灯、点滅したり、後述の表示画面７１に各種遊技情報を表示させたり、表示画面７１を遮蔽したり開放したりして遊技を演出するものであり、前扉４の前面上部に固定される合成樹脂製の表示枠６と、遊技状況に応じた遊技情報を表示可能な表示画面７１を有する表示装置７と、遊技状況に応じて表示画面７１を開閉する開閉装置８と、開閉装置８に動力を伝達するための左右の第１駆動装置１０ＲＡ、１０ＬＡ及び左右の第２駆動装置１０ＲＢ、１０ＬＢと、表示枠６、表示装置７、開閉装置８及び各駆動装置１０ＲＡ、１０ＬＡ、１０ＲＢ、１０ＬＢが取り付けられる合成樹脂製のベース部材１１と、遊技状況に応じて点灯、点滅したりして照明により遊技を演出するセンター照明装置１２及び左右のサイド照明装置１３、１３とを備えている。なお、本発明における開閉装置８は、第１駆動装置１０ＲＡ、１０ＬＡと、左右の第２駆動装置１０ＲＢ、１０ＬＢと、ベース部材１１をも含むものとする。
【００１８】
センター照明装置１２は、図２に示すように、ＬＥＤ等の単一色の多数の光源１２１と、表示枠６の前面上部中央に固定され、内部に配置される光源１２１が発する光を屈折、拡散して様々な方向から光を確認できるようにした合成樹脂製のセンターレンズ１２２とを含んでいる。
【００１９】
サイド照明装置１３は、ＬＥＤ等のフルカラーの多数の光源１３１と、表示枠６の表面左右上部に固定され、内部に配置される光源１３１が発する光を屈折、拡散して様々な方向から光を確認できるようにした合成樹脂製のサイドレンズ１３２とを含んでいる。
【００２０】
表示装置７は、ベース部材１１の裏面側中央に固定されるとともに、前面に液晶等で構成される表示画面７１を有し、遊技状況に応じた遊技情報を表示画面７１に表示することによって遊技の演出を盛り上げるものである。
【００２１】
ベース部材１１は、表示枠６と共に前扉４の上部に固定されるとともに、表示装置７の表示画面７１の大きさに相当する大きさの開口１１１を有し、開口１１１の裏面側両側部には、演出のための効果音を発生する左右のスピーカ１４が取り付けられている。
【００２２】
開閉装置８は、表示装置７における表示画面７１を挟むように、表示画面７１の前面に沿って左右方向へ直線移動可能な左右の前扉部材８１及び後扉部材８２と、前扉部材８１及び後扉部材８２を左右方向へ移動可能に支持するためのガイド手段９とを備える。
【００２３】
ガイド手段９は、ベース部材１１の前面に複数のボルト等（図示略）により固定される左右方向を向く上側ガイド９１及び下側ガイド９２と、上側ガイド９１と下側ガイド９２とを上下に連結する左右の連結板９３、９３とを有している。
【００２４】
上側ガイド９１は、左右の前扉部材８１の上部を左右方向へ移動可能に支持するための前扉部材用上部レール９１１と、左右の後扉部材８２の上部を左右方向へ移動可能に支持するための後扉部材用上部レール９１２を有している。
【００２５】
前、後扉部材用上部レール９１１、９１２は、互いに平行に配置されるとともに、縦断面形状がほぼ下向き開口コ字型をなしている。前扉部材用上部レール９１１は、後扉部材用上部レール９１２の上部に固定される。換言すると、前扉部材用上部レール９１１及び後扉部材用上部レール９１２は、互いに上下方向に重畳するように配置される。これにより、上側ガイド９１における前後方向の取付けスペースを、１本のレールの前後幅に抑えることができるため、上側ガイド９１が前扉４の上部に配置されるセンター照明装置１２、サイド照明装置１３等に干渉することがなくなり、センター照明装置１２やサイド照明装置１３等の他部品の配置に与える影響を最小限に抑えることができる。
【００２６】
下側ガイド９２は、左右の前扉部材８１の下部を左右方向へ移動可能に支持するための前扉部材用下部レール９２１と、左右の後扉部材８２の下部を左右方向へ移動可能に支持するための後扉部材用下部レール９２２を有している。
【００２７】
前、後扉部材用下部レール９２１、９２２は、互いに平行に配置されるとともに、縦断面形状がほぼ上向き開口コ字型をなしている。後扉部材用下部レール９２２は、前扉部材用下部レール９２１の後部に固定される。換言すると、前扉部材用下部レール９２１及び後扉部材用下部レール９２２は、互いに前後方向に重畳するように配置される。これにより、前、後扉部材８１、８２の下部を安定した状態で支持することができる。
【００２８】
各レール９１１、９１２、９２１、９２２の両端部には、各扉部材８１、８２の移動範囲を規制するストッパ９４がそれぞれ設けられている。すなわち、各ストッパ９４は、各扉部材８１、８２の端部がそれぞれ当接することにより、各扉部材８１、８２を全開位置を決定する。
【００２９】
左右の連結板９３は、表示装置７の表示画面７１を遮ることがないように、互いに左右方向へ隔てて配置され、その上端部は、後扉部材用上部レール９１２の前面に連結され、また、同じく下端部は、前扉部材用下部レール９２１の後面と後扉部材用下部レール９２２の前面との間に連結される。
【００３０】
このように、左右の連結板９３により、上側ガイド９１と下側ガイド９２とを上下に連結することにより、ガイド手段９の剛性を高めて、上側ガイド９１と下側ガイド９２とを常に平行に保ち、各扉部材８１、８２の円滑な作動を保証する。また、下側ガイド９２においては、連結板９３を境にして、その前側に前扉部材用下部レール９２１が配置され、また後側に後扉部材用下部レール９２２が配置されるため、前、後扉部材８１、８２の重さが前後に均等に作用し、前、後扉部材８１、８２をバランス良く支持することができる。なお、本実施形態における左右の連結板９３は、後扉部材用下部レール９２２の一部を上方へ折曲することによって形成される。
【００３１】
左右の前扉部材８１は、合成樹脂で形成されるとともに、上部に設けられた上部スライド部８１３が前扉部材用上部レール９１１に左右方向に移動可能に係合し、また、下部に設けられた下部スライド部８１４が前扉部材用下部レール９２１に左右方向へ移動可能に係合することにより、表示画面７１及び連結板９３の前面に沿って左右方向へ移動可能に支持され、表示画面７１を遮蔽する全閉位置（図２、１３参照）と、表示画面７１を開放するとともに、各スライド部８１３、８１４の端部がストッパ９４に当接した開放位置（図１、４及び図１４参照）とを間を往復移動する。
【００３２】
図８、９に示すように、前扉部材８１の上部スライド部８１３は、前扉部材８１の上部後面から後方へ突出形成され、前扉部材用上部レール９１１の下部と後扉部材用上部レール９１２の上部との間の隙間から進入して、前扉部材用上部レール９１１内に摺動可能に係合する。
【００３３】
上部スライド部８１３の後面には、ラック８１６が左右方向に沿って設けられている。左側の前扉部材８１に設けられるラック８１６は、左側の第１駆動装置１０ＬＡにおける後述のピニオン１０１ＬＡに噛合し、また、右側の前扉部材８１に設けられるラック８１６は、右側の第１駆動装置１０ＲＡにおける後述のピニオン１０１ＲＡに噛合する。
【００３４】
合成樹脂製の後扉部材８２は、上部に設けられた上部スライド部８２１が後扉部材用上部レール９１２内に左右方向へ移動可能に係合し、また、下部に設けられた下部スライド部８２２が後扉部材用下部レール９２２内に左右方向へ移動可能に係合することにより、連結板９３の後面及び表示領域７１の前面に沿って左右方向へ移動可能に支持され、表示画面７１を遮蔽する全閉位置（図１、１３参照）と、表示画面７１を開放するとともに、各スライド部８２１、８２２の端部がストッパ９４に当接した開放位置（図４、１４参照）とに移動可能である。
【００３５】
後扉部材８２における下部スライド部８２２の後面には、ラック８２５が左右方向に沿って設けられている。左側の後扉部材８２に設けられるラック８２５は、左側の第２駆動装置１０ＬＢにおける後述のピニオン１０１ＬＢに噛合し、また、右側の後扉部材８２に設けられるラック８２５は、右側の第２駆動装置１０ＲＢにおける後述のピニオン１０１ＲＢに噛合する。
【００３６】
後扉部材８２における上部スライド部８２１と下部スライド部８２２の間に形成される正面視矩形状の遮蔽部８２３は、表示画面７１を遮蔽する位置にあっても、表示画面７１に表示される映像の輪郭や色彩等を僅かに視認できる程度の半透明に形成される。
【００３７】
図１０は、要部の拡大分解斜視図、図１１は、左右の第１駆動装置１０ＲＡ、１０ＬＡの平面図、図１２は、左の第１、２駆動装置１０ＬＡ、１０ＬＢの正面図、図１３、１４は、各扉部材の開閉動作を示す概略平面図である。
【００３８】
各駆動装置１０ＬＡ、１０ＲＡ、１０ＬＢ、１０ＲＢは、ベース部材１１の裏面に固定されるブラケット１０２ＬＡ、１０２ＲＡ、１０２ＬＢ、１０２ＲＢと、各ブラケット１０２ＬＡ、１０２ＲＡ、１０２ＬＢ、１０２ＲＢにそれぞれ取り付けられるモータ１０３ＬＡ、１０３ＲＡ、１０３ＬＢ、１０３ＲＢと、各ブラケット１０２ＬＡ、１０２ＲＡ、１０２ＬＢ、１０２ＲＢに上下方向を向く支軸１０４により回転可能に支持され、各モータ１０３ＬＡ、１０３ＲＡ、１０３ＬＢ、１０３ＲＢの動力によりそれぞれ回転可能なピニオン１０１ＬＡ、１０１ＲＡ、１０１ＬＢ、１０１ＲＢとをそれぞれ備えている。
【００３９】
図１０〜図１２に示すように、左右の第１駆動装置１０ＬＡ、１０ＲＡ同士、及び左右の第２駆動装置１０ＬＢ、１０ＲＢ同士は、それぞれ左右対称構造である。また、左の第１駆動装置１０ＬＡと左の第２駆動装置１０ＬＢ同士、及び右の第１駆動装置１０ＲＡと右の第２駆動装置１０ＲＢ同士は、それぞれ上下対称構造である。したがって、左の第１駆動装置１０ＬＡと右の第２駆動装置１０ＲＢ同士、及び左の第２駆動装置１０ＬＢと右の第１駆動装置１０ＲＡ同士は、それぞれ同一構造となる。
【００４０】
各ブラケット１０２ＬＡ、１０２ＲＡ、１０２ＬＢ、１０２ＲＢには、各扉部材８１、８２の全開位置及び全閉位置に相当する各ピニオン１０１ＬＡ、１０１ＲＡ、１０１ＬＢ、１０１ＲＢの回転位置を検出するセンサー１０５と、センサー１０５が実装される電気基板１０６がそれぞれ配置されている。なお、センサー１０５は、光電式のセンサーが用いられる。
【００４１】
各ブラケット１０２ＬＡ、１０２ＲＡ、１０２ＬＢ、１０２ＲＢには、各ピニオン１０１ＬＡ、１０１ＲＡ、１０１ＬＢ、１０１ＲＢの側面に設けられた突部１０８に当接することにより、各ピニオン１０１ＬＡ、１０１ＲＡ、１０１ＬＢ、１０１ＲＢを各扉部材８１、８２の全開位置に相当する回転位置に停止させるストッパ１０７が設けられている。
【００４２】
各ピニオン１０１ＬＡ、１０１ＲＡ、１０１ＬＢ、１０１ＲＢの側面には、前述の突部１０８と、それぞれが各扉部材８１、８２の全開位置及び全閉位置に相当する回転位置にあるとき、センサー１０５の発光部と受光部との間を遮蔽する全開検出部１０９ａ及び全閉検出部１０９ｂと、貫通孔の確認印１０９ｃが設けられている。なお、突部１０８、全開検出部１０９ａ、全閉検出部１０９ｂ及び確認印１０９ｃは、各ピニオン１０１ＬＡ、１０１ＲＡ、１０１ＬＢ、１０１ＲＢの共用化を図るため、両側面に同一形状で形成される。
【００４３】
確認印１０９ｃは、各ピニオン１０１ＬＡ、１０１ＲＡ、１０１ＬＢ、１０１ＲＢを各扉部材８１、８２の全開位置に相当する回転位置に停止させとき、予め定めた方向、具体的には各ブラケット１０２ＬＡ、１０２ＲＡ、１０２ＬＢ、１０２ＲＢに設けた突起状の確認部１０９ｄに合致することにより、各ピニオン１０１ＬＡ、１０１ＲＡ、１０１ＬＢ、１０１ＲＢが所定の回転位置に停止しているか否かを目視で確認することができるようにしたものである。
【００４４】
各ブラケット１０２ＬＡ、１０２ＲＡには、後端にボルト５０によりベース部材１１の裏面に締結される上向き取付片１０２ａ及び前端にボルト５０によりベース部材１１の裏面に締結される下向き取付片１０２ｂがそれぞれ設けられている。また、左の第１駆動装置１０ＬＡのピニオン１０１ＬＡは、ブラケット１０３ＬＡの上面における右部に枢支され、また、右の第１駆動装置１０ＲＡのピニオン１０１ＲＡは、ブラケット１０３ＲＡの上面における左部に枢支される。
【００４５】
各ブラケット１０２ＬＢ、１０２ＲＢには、後端にボルト５０によりベース部材１１の裏面に締結される上向き取付片１０２ａ及び前端にボルト５０によりベース部材１１の裏面に締結される下向き取付片１０２ｂがそれぞれ設けられている。また、左の第２駆動装置１０ＬＢのピニオン１０１ＬＢは、ブラケット１０３ＬＢの下面における右部に枢支され、また、右の第２駆動装置１０ＲＢのピニオン１０１ＲＢは、ブラケット１０３ＲＢの下面における左部に枢支される。
【００４６】
左右の第１駆動装置１０ＬＡ、１０ＲＡは、左、右の前扉部材８１をそれぞれ左右方向へ移動させるもので、ベース部材１１の裏面上部の左右両側に取り付けられることにより、各ピニオン１０１ＬＡ、１０１ＲＡが、ベース部材１１の上部左右に設けられた横長の開口部１１２、１１２からベース部材１１の表面に露出して、左、右の前扉部材８１のラック８１６にそれぞれ噛合することにより、各モータ１０３ＬＡ、１０３ＲＡの動力を左、右の前扉部材８１にそれぞれ伝達する。
【００４７】
左右の第２駆動装置１０ＬＢ、１０ＲＢは、左、右の後扉部材８２をそれぞれ左右方向へ移動させるもので、ベース部材１１の裏面下部の左右両側に取り付けられることにより、各ピニオン１０１ＬＢ、１０１ＲＢが、ベース部材１１の下部左右に設けられた横長の開口部１１３、１１３からベース部材１１の表面に露出して、左、右の後扉部材８２のラック８２５にそれぞれ噛合することにより、各モータ１０３ＬＢ、１０３ＲＢの動力を左、右の後扉部材８２にそれぞれ伝達する。
【００４８】
開閉装置８は、遊技状況に応じて、左右の各扉部材８１、８２が全閉位置にあって、前後に重畳した状態、すなわち表示装置７の表示画面７１を二重で遮蔽する第１遮蔽態様と、後扉部材８２が開放位置にあり、前扉部材８１が全閉位置にある第２遮蔽態様と、前扉部材８１が開放位置にあり、後扉部材８２が全閉位置にある第３遮蔽態様と、全ての扉部材８１、８２が開放位置にあって、表示画面７１を完全に開放する開放態様と、表示画面７１の右半分または左半分のみを遮蔽する半遮蔽状態とに変化可能である。なお、各扉部材８１、８２が全開位置及び全閉位置に達したときには、各ピニオン１０１ＬＡ、１０１ＲＡ、１０１ＬＢ、１０１ＲＢの回転位置が各センサー１０５により検出され、各モータ１０３ＬＡ、１０３ＲＡ、１０３ＬＢ、１０３ＲＢへの通電が停止される。
【００４９】
次に、各駆動装置１０ＲＡ、１０ＬＡ、１０ＲＢ、１０ＬＢのベース部材１１への取り付け要領について説明する。先ず、各扉部材８１、８２を全開位置に移動させる。各扉部材８１、８２の全開位置は、各レール９１１、９１２、９２１、９２２に設けた各ストッパ９４に各扉部材８１、８２を当接させることによって決定される。次いで、各駆動装置１０ＲＡ、１０ＬＡ、１０ＲＢ、１０ＬＢにおける各ピニオン１０１ＬＡ、１０１ＲＡ、１０１ＬＢ、１０１ＲＢを回転させて、各ピニオン１０１ＬＡ、１０１ＲＡ、１０１ＬＢ、１０１ＲＢの各突部１０８を各ブラケット１０２ＬＡ、１０２ＲＡ、１０２ＬＢ、１０２ＲＢに設けた各ストッパ１０７に当接させる。これにより、各ピニオン１０１ＬＡ、１０１ＲＡ、１０１ＬＢ、１０１ＲＢを、各扉部材８１、８２の全開位置に相当する位置に停止させることができる。この状態で、各駆動装置１０ＲＡ、１０ＬＡ、１０ＲＢ、１０ＬＢのブラケット１０２ＬＡ、１０２ＲＡ、１０２ＬＢ、１０２ＲＢをベース部材１１の所定位置に固定することにより、各ピニオン１０１ＬＡ、１０１ＲＡ、１０１ＬＢ、１０１ＲＢを、各扉部材８１、８２における各ラック８１６、８２５に対して正規の噛み合い位置に噛合させることができる。また、各ピニオン１０１ＬＡ、１０１ＲＡ、１０１ＬＢ、１０１ＲＢが各ラック８１６、８２５の正規の位置に噛合したとき、各ピニオン１０１ＬＡ、１０１ＲＡ、１０１ＬＢ、１０１ＲＢの確認印１０９ｃと各ラック８１６、８２５に設けた確認印（図示略）とが合致したことを目視可能とすることにより、各ピニオン１０１ＬＡ、１０１ＲＡ、１０１ＬＢ、１０１ＲＢが各ラック８１６、８２５に対して正規の位置に噛合したか否かを目視で確認することができる。これにより、各ピニオン１０１ＬＡ、１０１ＲＡ、１０１ＬＢ、１０１ＲＢの回転によって、各扉部材８１、８２を全閉位置から全開位置、及びその逆へ確実に移動させることができる。
【００５０】
また、各駆動装置１０ＲＡ、１０ＬＡ、１０ＲＢ、１０ＬＢをベース部材１１の裏面に取り付けた形態は、各駆動装置１０ＲＡ、１０ＬＡ、１０ＲＢ、１０ＬＢが左右対称及び上下対称になるようにベース部材１１に取り付けられるため、各駆動装置１０ＲＡ、１０ＬＡ、１０ＲＢ、１０ＬＢのベース部材１１に対する誤組付けを防止することができる。また、ブラケット１１以外の部品のモータ１０３ＬＡ、１０３ＲＡ、１０３ＬＢ、１０３ＲＢ及びピニオン１０１ＬＡ、１０１ＲＡ、１０１ＬＢ、１０１ＲＢを共用化することができるため、コスト低減を図ることができる。
【００５１】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）各扉部材８１、８２の全閉位置を決定するストッパを別途設けるとともに、各駆動装置１０ＲＡ、１０ＬＡ、１０ＲＢ、１０ＬＢの各ブラケット１０２ＬＡ、１０２ＲＡ、１０２ＬＢ、１０２ＲＢに、各ピニオン１０１ＬＡ、１０１ＲＡ、１０１ＬＢ、１０１ＲＢを各扉部材８１、８２の全閉位置に相当する回転位置に停止させるストッパを設ける。この場合は、各扉部材８１、８２を全閉位置に停止させた状態で、各ピニオン１０１ＬＡ、１０１ＲＡ、１０１ＬＢ、１０１ＲＢを各ラック８１６、８２５に噛合させることにより、各ピニオン１０１ＬＡ、１０１ＲＡ、１０１ＬＢ、１０１ＲＢをラック８１６、８２５に対して正規の噛み合い位置に噛合させることができる。
【図面の簡単な説明】
【００５２】
【図１】本発明を適用した遊技機の斜視図である。
【図２】表示ユニットの正面図である。
【図３】表示ユニットの裏面図である。
【図４】表示枠を外した状態の表示ユニットの正面図である。
【図５】斜め前方から見た表示ユニットの分解斜視図である。
【図６】斜め後方から見た表示ユニットの分解斜視図である。
【図７】開閉装置の斜視図である。
【図８】図２におけるVIII−VIII線縦断面図である。
【図９】要部の拡大縦断面図である。
【図１０】要部の拡大分解斜視図である。
【図１１】左右の第１駆動装置の平面図である。
【図１２】左の第１、２駆動装置の正面図である。
【図１３】各扉部材が全閉状態にあるときの要部の概略平面図である。
【図１４】各扉部材が全開状態にあるときの要部の概略平面図である。
【符号の説明】
【００５３】
１  遊技機（スロットマシン）
２  回転リール
３  筐体
４  前扉
５  表示ユニット
６  表示枠
７  表示装置
８  開閉装置
９  ガイド手段
１０ＲＡ、１０ＬＡ  第１駆動装置
１０ＲＢ、１０ＬＢ  第２駆動装置
１１  ベース部材
１２  センター照明装置
１３  サイド照明装置
１４  スピーカ
２０  メダル投入部
２１  ベットボタン
２２  スタートレバー
２３  ストップボタン
４１  メダル受皿
４２  透視窓
５０  ボルト
７１  表示画面
８１  前扉部材
８２  後扉部材
９１  上側ガイド
９２  下側ガイド
９３  連結板
９４  ストッパ
１０１ＬＡ、１０１ＲＡ、１０１ＬＢ、１０１ＲＢ  ピニオン
１０２ＬＡ、１０２ＲＡ、１０２ＬＢ、１０２ＲＢ  ブラケット
１０２ａ  上向き取付片
１０２ｂ  下向き取付片
１０３ＬＡ、１０３ＲＡ、１０３ＬＢ、１０３ＲＢ  モータ
１０４  支軸
１０５  センサー
１０６  電気基板
１０７  ストッパ
１０８  突部
１０９ａ  全開検出部
１０９ｂ  全閉検出部
１０９ｃ  確認印
１０９ｄ  確認部
１１１  開口
１１２、１１３  開口部
１２１  光源
１２２  センターレンズ
１３１  光源
１３２  サイドレンズ
８１３  上部スライド部
８１４  下部スライド部
８１６  ラック
８２１  上部スライド部
８２２  下部スライド部
８２３  遮蔽部
８２５  ラック
９１１  前扉部材用上部レール
９１２  後扉部材用上部レール
９２１  前扉部材用下部レール
９２２  後扉部材用下部レール
【図１】
2008245849.tif 000003
【図２】
2008245849.tif 000004
【図３】
2008245849.tif 000005
【図４】
2008245849.tif 000006
【図５】
2008245849.tif 000007
【図６】
2008245849.tif 000008
【図７】
2008245849.tif 000009
【図８】
2008245849.tif 000010
【図９】
2008245849.tif 000011
【図１０】
2008245849.tif 000012
【図１１】
2008245849.tif 000013
【図１２】
2008245849.tif 000014
【図１３】
2008245849.tif 000015
【図１４】
2008245849.tif 000016